(57)【要約】【課題】シートを位置規制位置に容易に移動させること。【解決手段】シート搬送装置２００は、シートを挟持して搬送する搬送ローラ１２２及びニップローラ１２３と、搬送ローラ１２２及びニップローラ１２３によって搬送されるシートの搬送方向と直交する方向の側端部に接触して該シートを案内する固定ガイド１０６及び可動ガイド１０７と、を備えている。可動ガイド１０７は、シートと接触する案内位置からシートと接触しない退避位置に移動可能であり、搬送ローラ１２２及びニップローラ１２３は、可動ガイド１０７が退避位置から案内位置に移動してシートと接触する前に、該シートの挟持を解除可能になっている。これによって、可動ガイド１０７は、シートを容易に移動させて、位置規制位置である固定ガイド１０６にシートを押し付けることができる。【選択図】図５
2019182639.tif 000002
【特許請求の範囲】
【請求項１】
シートを挟持して搬送する搬送手段と、
前記搬送手段によって搬送されるシートの搬送方向と直交する方向の側端部に接触して該シートを案内する案内手段と、を備え、
前記案内手段は、シートと接触する案内位置からシートと接触しない退避位置に移動可能であり、
前記搬送手段は、前記案内手段が前記退避位置から前記案内位置に移動してシートと接触する前に、該シートの挟持を解除可能である、
ことを特徴とするシート搬送装置。
【請求項２】
前記案内手段は、
シートの両側端部を案内する１対の案内部材と、１対の前記案内部材の少なくとも一方を他方に接近させて該シートの位置規制を行う作動部と、を有し、
前記作動部は、前記搬送手段のシート挟持の解除後に、少なくとも一方の前記案内部材の位置規制動作を行う、
ことを特徴とする請求項１に記載のシート搬送装置。
【請求項３】
前記搬送手段は、シートを挟持し回転して該シートを順送及び逆送する１対の回転体を有し、
１対の前記回転体は、逆送したシートを順送する際に互いに離間して、該シートの挟持を解除可能である、
ことを特徴とする請求項１又は２に記載のシート搬送装置。
【請求項４】
シートを順送及び逆送するシート搬送装置と、
前記シート搬送装置によって、順送されるシートに画像を形成する画像形成手段と、を備え、
前記シート搬送装置は、請求項１乃至３のいずれか１項に記載のシート搬送装置であり、前記画像形成手段は、当該シート搬送装置の搬送手段の順送方向の下流側に配置されている、
ことを特徴とする画像形成装置。
【発明の詳細な説明】
【技術分野】
【０００１】
本発明は、シートを搬送するシート搬送装置に関する。
【背景技術】
【０００２】
従来、長尺シートをロール状に巻いたロールシートがある。このロールシートの長尺シートを引き出して、順送（フォワードフィード）し、その長尺シートに画像を形成する画像形成装置がある。この画像形成装置は、長尺シートを搬送するシート搬送装置を備えている。シート搬送装置は、シート搬送手段としての１対の回転体対と、長尺シートの側端部に当接して、搬送される長尺シートの幅方向の位置を規制する案内手段としての１対の案内部材等を備えている。なお、長尺シートの側端部とは、長尺シートの搬送方向に沿った縁のことである。また、長尺シートの幅方向とは長尺シートの搬送方向に対して直交する方向のことである。
【０００３】
ところが、シート搬送装置は、長尺シートに画像が形成されて排出した後の待機状態から、次に画像形成動作を開始する準備のために１対の回転体対を逆転（反転）させて、順送より高速で逆送（バックフィード）する際に、長尺シートの側端部と案内部材とが接触していると、逆送する長尺シートが詰まる恐れがある。
【０００４】
そこで、逆送する長尺シートが詰まらないようにしたシート搬送装置が、特許文献１に開示されている。そのシート搬送装置は、１対の回転体対のシート搬送方向の上流側に配置された１対の案内部材が、長尺シートの逆送時にシート端部から退避するようになっている。
【先行技術文献】
【特許文献】
【０００５】
【特許文献１】特開２００４−２２３９８７号公報
【発明の概要】
【発明が解決しようとする課題】
【０００６】
しかし、特許文献１に開示されたシート搬送装置は、常時、１対の回転体対が長尺シートを挟持したままになっている。このため、逆送（バックフィード）時に退避していた１対の案内部材を退避前の規制位置に移動させて順送（フォワードフィード）する長尺シートを位置規制しようとしても、回転体対が長尺シートを挟持したままなので、長尺シートを規制位置に移動させることが困難であった。
【０００７】
本発明は、シートを位置規制位置に容易に移動させることができるシート搬送装置を提供することにある。
【課題を解決するための手段】
【０００８】
本発明は、シートを挟持して搬送する搬送手段と、前記搬送手段によって搬送されるシートの搬送方向と直交する方向の側端部に接触して該シートを案内する案内手段と、を備え、前記案内手段は、シートと接触する案内位置からシートと接触しない退避位置に移動可能であり、前記搬送手段は、前記案内手段が前記退避位置から前記案内位置に移動してシートと接触する前に、該シートの挟持を解除可能である、ことを特徴とするシート搬送装置によって、課題を解決した。
【発明の効果】
【０００９】
本発明は、シートを位置規制位置に容易に移動させることができるという効果を奏する。
【図面の簡単な説明】
【００１０】
【図１】本発明の実施形態である画像形成装置としてのインクジェット記録装置の正面概略図である。
【図２】本発明の実施形態のシート搬送装置を備えた図１のインクジェット記録装置の平面概略図である。
【図３】図２におけるシート搬送装置のニップローラユニットの構成を示す正面概略図である。
【図４】図２の状態から、長尺シートの画像を形成された部分をカットしたときのインクジェット記録装置の平面概略図である。
【図５】図４に示す長尺シートを、長尺シートの先端が記録ヘッドと、搬送ローラ及びニップローラとの間に位置するように逆走させた図である。
【図６】図２におけるインクジェット記録装置のガイドユニットの平面概略図である。
【図７】パソコンとインクジェット記録装置との接続を示したインクジェット記録装置の制御ブロック図である。
【図８】本実施形態のインクジェット記録装置における記録処理を示したフローチャートである。
【発明を実施するための形態】
【００１１】
以下、本発明の実施形態のシート搬送装置と、これを備えた画像形成装置としてのインクジェット記録装置とを図に基づいて説明する。なお、ロールシートは、長尺シートを巻いて形成されている。
【００１２】
図１は、本発明の実施形態である画像形成装置としてのインクジェット記録装置１００の正面概略図である。なお、図１は説明の都合上、記録装置の外装部材を除去した状態を示している。図２は、本発明の実施形態のシート搬送装置２００を備えた図１のインクジェット記録装置１００の平面概略図である。図３は、図２におけるシート搬送装置２００のニップローラユニット１２８の構成を示す正面概略図である。図４は、図２の状態から、長尺シートＰの画像を形成された部分をカットしたときのインクジェット記録装置１００の平面概略図である。図５は、図４に示す長尺シートＰを、長尺シートＰの先端Ｐｂが記録ヘッド（画像形成手段）１３０と、搬送ローラ１２２及びニップローラ１２３との間に位置するように逆送させた図である。
【００１３】
なお、長尺シートＰの側端部Ｐａとは、図２において、長尺シートＰの順送（フォワードフィード）方向（矢印Ａ方向）或いは逆送（バックフィード）方向（矢印Ｂ方向）に沿った縁のことである。順送方向をシート搬送方向と言う場合もある。また、長尺シートの幅方向とは、長尺シートの順送方向、逆送方向に対して直交する方向（矢印Ｃ、Ｄ）のことである。
【００１４】
図２において、インクジェット記録装置１００は、主に、次の構成要素によって形成されている。ロールシートＲＰを回転自在な状態で収納するロールシート供給ユニット１０２。ロールシートＲＰの長尺シートＰの搬送方向（順送方向、矢印Ａ方向）に対して直交する長尺シート幅方向（矢印Ｃ，Ｄ方向）の位置を規制するガイドユニット１０３。長尺シートＰの両面を挟持して長尺シートＰを搬送する搬送手段としての１対の回転体としての搬送ローラ１２２とニップローラ１２３等を有する搬送ユニット１２０。搬送ユニット１２０によって搬送された長尺シートＰにインクジェット方式で画像を形成する画像形成手段としての記録ヘッド１３０。記録ヘッド１３０の安定したインクの吐出を維持するためのキャップユニット１３１（図１）。記録ヘッド１３０へのインク供給や回復動作のためのポンプユニット１３２。長尺シートＰの画像を形成された部分を所定の長さにカットするカッタ１６０。
【００１５】
以上の各構成要素の内、ガイドユニット１０３と、搬送ローラ１２２と、ニップローラ１２３を支持するニップローラユニット１２８等は、シート搬送装置２００を構成している。
【００１６】
次に、インクジェット記録装置１００を詳細に説明する。図１、図２において、ロールシート供給ユニット１０２は、１対のスプールフランジ１０１によってロールシートＲＰの両端を支持している。最初、ロールシート供給ユニット１０２にセットされたロールシートＲＰは、長尺シートＰをユーザによって引き出されて、長尺シートＰを搬送ユニット１２０にセットされる。このとき、ガイドユニット１０３は、搬送ユニット１２０によって、ロールシート供給ユニット１０２から引き出された長尺シートＰの端部Ｐａの両方を、案内手段としての固定ガイド（案内部材）１０６と可動ガイド（案内部材）１０７とによって案内して長尺シートＰの幅方向の位置を規制する。
【００１７】
図２、図４、図５において、搬送ユニット１２０は、長尺シートＰの非画像形成面を支持するプラテン１２１と、長尺シートＰを搬送する搬送ローラ１２２及び搬送ローラ１２２の鉛直方向上側で搬送ローラ１２２とでニップを形成するニップローラ１２３等を備えている。搬送ローラ１２２は、搬送モータＭによって回転し、ニップローラ１２３とで長尺シートＰを挟持して矢印Ａ方向の順送及び矢印Ｂ方向の逆送を行うようになっている（順送及び逆送可能になっている）。搬送ローラ１２２は、搬送モータＭが正転及び逆転することによって、長尺シートＰを順送する正回転と、逆送する逆回転とをするようになっている。なお、搬送ローラ１２２は、不図示の搬送モータＭと搬送ローラ１２２との間に設けられた不図示の回転力伝達機構の切換によって、長尺シートＰを順送する正回転、逆送する逆回転とをするようになっていてもよい。
【００１８】
図３において、ニップローラユニット１２８のニップローラ１２３は、ホルダ１２４に回転自在に支持されている。ホルダ１２４は、連結軸１２９によって、可動プレート１２５に接近離間する上下方向に回転自在に連結されている。可動プレート１２５は、シート搬送装置２００に不図示の案内機構によって平行状態を維持して昇降するように設けられている。ホルダ１２４と可動プレート１２５との間には、圧接ばね１２６が介在している。圧接ばね１２６には、圧縮コイルばねが使用されている。圧接ばね１２６は、下端部１２６ａをホルダ１２４の上面１２４ａに設けられ、上端部１２６ｂを可動プレート１２５の下面１２５ｂに設けられて、ホルダ１２４と可動プレート１２５とを接続している。このため、圧接ばね１２６は、ホルダ１２４とニップローラ１２３とを搬送ローラ１２２の方に付勢している。可動プレート１２５の上方には、ソレノイド１２７が配置されている。ソレノイド１２７のプランジャ１２７ａは、可動プレート１２５の上面１２５ａに連結されている。プランジャ１２７ａと可動プレート１２５は、上下方向（矢印Ｆ、Ｅ方向）に移動するようになっている。ソレノイド１２７と可動プレート１２５との間には、プランジャ１２７ａに遊嵌したプランジャばね１２７ｂが介在している。
【００１９】
ソレノイド１２７は、非通電状態で、ソレノイドばね１２７ｂによって、プランジャ１２７ａが矢印Ｅ方向に突出している。ソレノイドばね１２７ｂは、可動プレート１２５をホルダ１２４側に付勢している。このため、ソレノイド１２７が非通電状態のとき、ソレノイドばね１２７ｂが可動プレート１２５と圧接ばね１２６とホルダ１２４とを介して、ニップローラ１２３を搬送ローラ１２２に押圧して長尺シートＰに対して搬送力を付与している。このとき、ニップローラ１２３は、ソレノイドばね１２７ｂと圧接ばね１２６との弾力のバランスが取れた状態で、搬送ローラ１２２に圧接されている。
【００２０】
ソレノイド１２７は、通電状態で、ソレノイドばね１２７ｂに抗してプランジャ１２７ａを矢印Ｆ方向に引き込み、可動プレート１２６を矢印Ｆ方向に引き上げる。これによって、圧接ばね１２６とホルダ１２４も矢印Ｆ方向に引き上げられる。この結果、ソレノイド１２７は、通電状態でニップローラ１２３を搬送ローラ１２２から離間させて、長尺シートＰに対しての挟持を解除させるようになっている（挟持を解除可能になっている）。
【００２１】
記録ヘッド１３０は、搬送ローラ１２２の下流側に配置されている。記録ヘッド１３０は、搬送ローラ１２２とニップローラ１２３とによって一定速度で搬送される長尺シートＰに画像を形成する。搬送ユニット１２０は、記録ヘッド１３０が長尺シートＰの所定の長さの領域に画像を形成すると、長尺シートＰの搬送を停止する（図２）。そして、カッタ１６０（図１）が、長尺シートの画像を形成された部分の所定の長さのところで、長尺シートをカットする（図４）。
【００２２】
その後、次の画像形成指令が無い場合、インクジェット記録装置１００は、次の画像形成に備えて、図４の待機状態のままで停止する。次の画像形成指令がある場合、インクジェット記録装置１００は、ソレノイド１０９を作動させて、可動ガイド１０７を長尺シートＰの側端部Ｐａから離間させ、搬送モータＭを逆転させて搬送ローラ１２２を逆転し、長尺シートＰを逆送させる。このとき、ロールシート供給ユニット１０２の１対のスプールフランジ１０１が、不図示のモータによって巻取回転し、長尺シートＰを巻き戻す。搬送ローラ１２２は、長尺シートＰの先端Ｐｂが記録ヘッド１３０と、搬送ローラ１２２及びニップローラ１２３との間まで、移動した時点で、逆転を停止する（図５）。これにともなって、１対のスプールフランジ１０１も長尺シートＰの巻き戻しを停止する。これによって、インクジェット記録装置１００は、次の画像形成動作を行う。
【００２３】
ガイドユニット１０３を説明する。図６は、ガイドユニット１０３の平面概略図である。ガイドユニット１０３は、長尺シートＰの非画像形成面（画像形成面の裏面）を支える受け台１０５と、長尺シートＰの一方の側端部を規制する固定ガイド１０６と、長尺シートＰの他方の側端部を規制する可動ガイド１０７と、作動部としてのソレノイド１０９と、可動ガイド１０７とソレノイド１０９とを接続するガイドシャフト１０８等を備えている。
【００２４】
可動ガイド１０７は、受け台１０５の下方に備えられているガイドシャフト１０８に連結されている。可動ガイド１０７は、ロールシートＲＰの側端部に当接した状態を保持できるようにガイドシャフト１０８へ付勢する不図示の形状に形成されている。また、ガイドシャフト１０８の固定ガイド１０６側の端部には、ソレノイド１０９が配置されている。ガイドシャフト１０８の端部とソレノイド１０９のプランジャ１０９ａの先端は連結されている。ガイドシャフト１０８は、ソレノイド１０９のストロークによって、ガイドシャフトのスラスト方向（矢印Ｃ，Ｄ方向）に可動できるようになっている。したがって、可動ガイド１０７は、ソレノイド１０９によって、長尺シートＰの幅方向（矢印Ｃ，Ｄ方向）にスライド（移動）して、様々な長尺シートの幅に合わせてシートの側端部に当接するようになっている。
【００２５】
なお、ソレノイド１０９は、通電状態でプランジャ１０９ａを矢印Ｄ方向に突出させ、非通電状態では不図示のコイルバネによりプランジャ１０９ａを矢印Ｃ方向に引き込むようになっている。このため、ソレノイド１０９は、通電状態のとき可動ガイド１０７を矢印Ｄ方向に移動させて、長尺シートＰの側端部から離間させ、非通電状態のとき可動ガイド１０７を矢印Ｃ方向に移動させて、長尺シートＰの側端部に当接させる、可動ガイド１０７に位置規制動作をさせるようになっている。すなわち、可動ガイド１０７は、シートと接触する案内位置とシートと接触しない退避位置とを移動可能になっている。
【００２６】
図４において、ロールシート供給ユニット１０２から引き出された長尺シートＰは、ガイドユニット１０３によって長尺シートＰの側端部Ｐａを規制される。このとき、ソレノイド１０９は通電されていない。また、長尺シートＰの両側端部には、固定ガイド１０６と可動ガイド１０７とが隙間が無い状態でそれぞれ当接している。これによって、長尺シートＰは、搬送ユニット１２０に、位置規制されて案内される。図２において、搬送ユニット１２０に案内された長尺シートＰは、記録ヘッド１３０によって画像形成され、長尺シートＰを排出位置まで所定距離搬送されて、停止する。
【００２７】
排出位置まで搬送された長尺シートＰは続けて画像を形成される場合、短時間で次の印刷動作に移るため、図５に示すように、長尺シートＰの先端Ｐｂを記録ヘッド１３０の上流側まで順送より高速で逆送させる必要がある。逆送前、長尺シートの搬送が停止している状態でガイドユニット１０３のソレノイド１０９が作動する。ソレノイド１０９の作動により、ガイドシャフト１０８と可動ガイド１０７は、可動ガイド１０７が長尺シートＰの側端部から離間する図４の矢印Ｄ方向へ移動する。この状態で、ロールシート供給ユニット１０２のスプールフランジ１０１が巻取回転をし、搬送モータＭの逆転によって搬送ローラ１２２が逆転する。このことによって、長尺シートＰの先端Ｐｂが、記録ヘッド１３０と搬送ローラ１２２との間に位置するまでの所定距離を逆送する。このとき、可動ガイド１０７と長尺シートＰの側端部との間に隙間Ｇ（図５）が形成されている。このため、搬送ローラ１２２は、長尺シートＰに可動ガイド１０７による負荷が加わらない状態で長尺シートＰを逆送させることができる。スプールフランジ１０１と搬送ローラ１２２は、長尺シートＰの先端Ｐｂが記録ヘッド１３０と搬送ローラ１２２との間に位置するまで逆送させた後、巻取回転及び逆転を停止する。そして、図３に示すニップローラユニット１２８のソレノイド１２７が作動する。ソレノイド１２７の作動によりニップローラ１２３は搬送ローラ１２２から離間する矢印Ｆ方向へ移動して搬送ローラ１２２とニップローラ１２３とによる長尺シートＰの挟持を解除する。
【００２８】
搬送ローラ１２２とニップローラ１２３とが長尺シートＰの挟持を解除すると（シート挟持の解除後）、長尺シートＰは搬送方向と直交する方向への移動が自由状態であり、この状態でソレノイド１０９は、通電を解除される。すると、ソレノイド１０９のプランジャ１０９ａは、可動ガイド１０７を矢印Ｄ方向に移動させて長尺シートＰの側端部に当接させ、そして、長尺シートＰを固定ガイド１０６に当接させる。これによって、長尺シートＰは、固定ガイド１０６を基準にして幅方向の位置規制をされて、記録ヘッド１３０との相対位置関係のズレを矯正される。この後、挟持解除機構としてのニップローラユニット１２８により、離間していたニップローラ１２３が搬送ローラ１２２に当接し、長尺シートＰは、搬送ローラ１２２とニップローラ１２３とに挟持されて、矢印Ａ方向に搬送されるが、記録ヘッド１３０との相対位置関係のズレを矯正されているので、長尺シートＰの所定の位置に画像を形成される。
【００２９】
図７はパソコン１４０とインクジェット記録装置１００との接続を示した制御ブロック図である。インクジェット記録装置１００は、インクジェット記録装置１００全体を制御する制御部１５０を備えている。制御部１５０は、ＣＰＵ１５０Ａ、記録動作に必要な情報が予め記憶されているＲＯＭ１５０Ｂ、記録動作中に一時的に各種情報を記憶するＲＡＭ１５０Ｃ等を備えている。制御部１５０は、パソコン１４０から送信された記録データ、コマンド等によって、ロールシート供給ユニット１０２、搬送ユニット１２０、記録ヘッド１３０、キャップユニット１３１、ポンプユニット１３２、カッタ１６０、ソレノイド１０９、搬送ローラ１２２を回転させる搬送モータＭ、挟持解除機構としてのニップローラユニット１２８を駆動するソレノイド１２７等に接続されて、これ等を制御するようになっている。
【００３０】
図８は本実施形態のインクジェット記録装置１００における記録処理を示したフローチャートである。制御部１５０のＣＰＵ１５０Ａは、パソコン１４０からインクジェット記録装置１００に記録データを受信すると（Ｓ２０１）、ロールシートＲＰが新しく、長尺シートとして使用されたことが無く、長尺シートに初めての画像形成であるか否かを判断する（Ｓ２０２）。ＣＰＵ１５０Ａは、初めての画像形成である場合（Ｓ２０２でＹＥＳ）、搬送モータＭを正回転させて、搬送ユニット１２０の搬送ローラ１２２を正回転させて長尺シートＰを順送する（Ｓ２０３）。そして、ＣＰＵ１５０Ａは、記録ヘッド１３０を作動させて、長尺シートＰの所定の位置に所定の画像を形成する（Ｓ２０４）。ＣＰＵ１５０Ａは、記録ヘッド１３０による長尺シートに対する画像形成を終了すると、長尺シートＰを所定の長さだけ順送して搬送モータＭを停止させる。これによって、インクジェット記録装置１００の外部に、長尺シートＰの画像を形成された部分が突出して停止することになる（図２）。そして、ＣＰＵ１５０Ａは、インクジェット記録装置１００の外部に突出した長尺シートＰの部分をカッタ１６０によってカットする（Ｓ２０５、図８）。ＣＰＵ１５０Ａは、長尺シートに初めての画像形成の後、画像形成を続けて行う必要があるとき（Ｓ２０６でＹＥＳ）、ステップＳ２０７へ移行する。もし、画像形成を継続する必要が無いとき（Ｓ２０６でＮＯ）、ＣＰＵ１５０Ａは、インクジェット記録装置１００を停止させる。長尺シートＰは、図４に示す位置に位置している。
【００３１】
ステップＳ２０６で続けて画像形成を行う場合（Ｓ２０６でＹＥＳ）、ＣＰＵ１５０Ａは、ソレノイド１０９を通電状態にして、可動ガイド１０７を長尺シートの側端部Ｐａから離間させ（Ｓ２０７）、搬送モータＭを逆回転させて、搬送ローラ１２２を逆回転させる。また、ＣＰＵ１５０Ａは、不図示のモータによってスプールフランジ１０１に巻取回転をさせる（Ｓ２０８）。これによって、長尺シートは、逆送される。そして、ＣＰＵ１５０Ａは、長尺シートＰの先端Ｐｂが記録ヘッド１３０と搬送ローラ１２２の間に位置したら搬送モータＭの逆回転を停止させて、搬送ローラ１２２の逆回転を停止させる（Ｓ２０９）。ＣＰＵ１５０Ａは、図３に示す挟持解除機構としてのニップローラユニット１２８のソレノイド１２７を作動させて、搬送ローラ１２２をニップローラ１２３から離間させて、搬送ローラ１２２とニップローラ１２３とによる長尺シートＰの挟持を解除する（Ｓ２１０）。
【００３２】
その後、ＣＰＵ１５０Ａは、ソレノイド１０９の通電を解除して、可動ガイド１０７を長尺シートＰの側端部Ｐａに接近させて当接させ、長尺シートＰを固定ガイド１０６に押し付ける。これによって、長尺シートＰは、固定ガイド１０６を基準にして幅方向の位置規制をされる（Ｓ２１１）。最後にＣＰＵ１５０Ａは、図３に示す挟持解除機構としてのニップローラユニット１２８のソレノイド１２７を作動させて、搬送ローラ１２２とニップローラ１２３を接触させて、搬送ローラ１２２とニップローラ１２３とによって長尺シートＬＰを挟持させる（Ｓ２１２）。この状態で、ＣＰＵ１５０Ａは、搬送モータＭによって搬送ローラ１２２を正回転させて、長尺シートＰを記録ヘッド１３０に送り込む（Ｓ２１３）。その後、ＣＰＵ１５０Ａは、長尺シートＰに後続の画像を形成し（Ｓ２０４）、カッタ１６０で長尺シートＰの後続の画像を形成された部分をカットする（Ｓ２０５）。ＣＰＵ１５０Ａは、長尺シートＰに画像を形成する画像形成ジョブが無い場合（Ｓ２０６でＮＯ）、インクジェット記録装置１００を停止させる。長尺シートＰは、図４に示す位置に位置している。ＣＰＵ１５０Ａは、長尺シートＰに画像を形成する画像形成ジョブがある場合（Ｓ２０６でＹＥＳ）、ステップＳ２０７へ移行し、後続の画像形成が無くなるまで（Ｓ２０６でＮＯ）、以上の動作を繰り返す。
【００３３】
なお、ステップＳ２０２において、長尺シートに初めての画像形成でない場合（Ｓ２０１でＮＯ）、長尺シートＰが図４に示す位置にあるので、ＣＰＵ１５０Ａは、ステップＳ２０７へ移行する。
【００３４】
なお、以上の実施形態は、可動ガイド１０７をシート側端部Ｐａから離間させるのに、ソレノイド１０９を使用しているが、搬送ローラ１２２を回転させる搬送モータＭと連動させて可動ガイド１０７を移動させてもよい。この場合、搬送モータＭと可動ガイド１０７との間にクラッチを設けて、搬送ローラ１２２の回転動作との整合性をとるのが好ましい。
【００３５】
以上説明したように本実施形態のインクジェット記録装置によれば、長尺シートＰの搬送後には、搬送ローラ対としての搬送ローラ１２２とニップローラ１２３との挟持を解除した後に、長尺シートに対して可動ガイド１０７を当接させることにより長尺シートＰの位置を矯正するので、長尺シートＰ上の所定の位置に画像形成を行うことができる。また、本実施形態のインクジェット記録装置は、長尺シートＰを排出位置から記録ヘッド１３０の上流側まで戻す逆送動作時には、順送時より長尺シートＰを高速搬送しても、ガイドユニット１０３の可動ガイド１０７を長尺シートＰの側端部Ｐａから離間させて、最適な隙間Ｇを設けているので、長尺シートＰに負荷を加えない状態で長尺シートＰを逆送することができる。
【符号の説明】
【００３６】
ＲＰ：ロールシート、Ｐ：長尺シート、Ｐａ：長尺シートの側端部、Ｐｂ：長尺シートの先端、Ｇ：隙間、１００：インクジェット記録装置（画像形成装置）、１０２：ロールシート供給ユニット、１０３：ガイドユニット、１０６：固定ガイド（案内手段）、１０７：可動ガイド（案内手段）、１０９：ソレノイド（作動部）、１２０：搬送ユニット、１２２：搬送ローラ（搬送手段、１対の回転体）、１２３：ニップローラ（搬送手段、１対の回転体）、１２８：ニップローラユニット、１３０：記録ヘッド（画像形成手段）、１５０：制御部、２００：シート搬送装置。
【図１】
2019182639.tif 000003
【図２】
2019182639.tif 000004
【図３】
2019182639.tif 000005
【図４】
2019182639.tif 000006
【図５】
2019182639.tif 000007
【図６】
2019182639.tif 000008
【図７】
2019182639.tif 000009
【図８】
2019182639.tif 000010